(57)【要約】【課題】見栄えを向上させながらも操作性を向上し得る建具用パネルを提供する。【解決手段】複数の縦框部１０，１０間に鏡板部２を設けた建具用パネル１であって、前記複数の縦框部のうちの少なくとも一つの縦框部の幅方向鏡板部側部位の少なくとも厚さ方向一方側に、当該縦框部の厚み内に位置するように幅方向に向けて開口する凹溝１５が設けられ、かつ該凹溝に手掛可能な構成とされている。【選択図】図１
2014234696.tif 000002
【特許請求の範囲】
【請求項１】
複数の縦框部間に鏡板部を設けた建具用パネルであって、
前記複数の縦框部のうちの少なくとも一つの縦框部の幅方向鏡板部側部位の少なくとも厚さ方向一方側に、当該縦框部の厚み内に位置するように幅方向に向けて開口する凹溝が設けられ、かつ該凹溝に手掛可能な構成とされていることを特徴とする建具用パネル。
【請求項２】
請求項１において、
前記凹溝は、前記鏡板部の上下方向の全体に亘って位置するように設けられていることを特徴とする建具用パネル。
【請求項３】
請求項１または２において、
前記鏡板部は、前記凹溝の開口先側に該鏡板部が位置しないように、前記縦框部の厚さよりも薄くかつ全体に亘って一様な厚さとされていることを特徴とする建具用パネル。
【請求項４】
請求項１乃至３のいずれか１項において、
前記凹溝は、前記縦框部の幅方向鏡板部側部位を掘り込むように設けられていることを特徴とする建具用パネル。
【請求項５】
請求項１乃至３のいずれか１項において、
前記凹溝は、前記縦框部の幅方向鏡板部側端面に固定された額縁状部材に設けられていることを特徴とする建具用パネル。
【請求項６】
請求項１乃至５のいずれか１項において、
幅方向両側端部に設けられた両縦框部の厚さ方向両側に前記凹溝をそれぞれに設けていることを特徴とする建具用パネル。
【発明の詳細な説明】
【技術分野】
【０００１】
本発明は、複数の縦框部間に鏡板部を設けた建具用パネルに関する。
【背景技術】
【０００２】
従来より、住居等の建物の出入口等に配設される引戸や折戸、開き戸等の建具には、開閉操作するための引手や取手等の手掛部が設けられている。このような手掛部としては、建具の表面に突出させるように設けられたものがあるが、このようなものでは、目立ち易く、また、邪魔になり易く、さらに、引戸の場合には、袖壁や戸袋、他の引戸等に干渉し、いわゆる引き残しが生じるというような問題があった。
例えば、下記特許文献１では、左右に１本ずつ配置される縦框の間に１枚の鏡板を組み込んだ框組引戸が提案されている。この框組引戸は、縦框と鏡板との境界部に、その長さ方向の全長にわたって、手指が入り、横引き操作可能な幅を有する手がかり溝を表裏面の少なくとも一方に設けた構成とされている。
【先行技術文献】
【特許文献】
【０００３】
【特許文献１】特開２００３−９０１７６号公報
【発明の概要】
【発明が解決しようとする課題】
【０００４】
しかしながら、上記特許文献１に記載された框組引戸は、手がかり溝を引戸の厚さ方向に開口させて設けた構成とされている。そのため、手がかり溝に手指が引っ掛け難く、また、表面化粧処理等の態様によっては滑り易くなることも考えられ、更なる改善が望まれていた。
【０００５】
本発明は、上記実情に鑑みてなされたものであり、見栄えを向上させながらも操作性を向上し得る建具用パネルを提供することを目的としている。
【課題を解決するための手段】
【０００６】
上記目的を達成するために、本発明に係る建具用パネルは、複数の縦框部間に鏡板部を設けた建具用パネルであって、前記複数の縦框部のうちの少なくとも一つの縦框部の幅方向鏡板部側部位の少なくとも厚さ方向一方側に、当該縦框部の厚み内に位置するように幅方向に向けて開口する凹溝が設けられ、かつ該凹溝に手掛可能な構成とされていることを特徴とする。
【０００７】
本発明においては、前記凹溝を、前記鏡板部の上下方向の全体に亘って位置するように設けてもよい。
また、本発明においては、前記鏡板部を、前記凹溝の開口先側に該鏡板部が位置しないように、前記縦框部の厚さよりも薄くかつ全体に亘って一様な厚さとしてもよい。
また、本発明においては、前記凹溝を、前記縦框部の幅方向鏡板部側部位を掘り込むように設けてもよい。
また、本発明においては、前記凹溝を、前記縦框部の幅方向鏡板部側端面に固定された額縁状部材に設けてもよい。
また、本発明においては、幅方向両側端部に設けられた両縦框部の厚さ方向両側に前記凹溝をそれぞれに設けてもよい。
【発明の効果】
【０００８】
本発明に係る建具用パネルは、上述のような構成としたことで、見栄えを向上させながらも操作性を向上させることができる。
【図面の簡単な説明】
【０００９】
【図１】（ａ）、（ｂ）は、いずれも本発明の一実施形態に係る建具用パネルの一例を模式的に示し、（ａ）は、図２におけるＸ−Ｘ線矢視に対応させた概略横断面図、（ｂ）は、（ａ）におけるＹ部に対応させた一部破断概略拡大横断面図である。
【図２】同建具用パネルの概略正面図である。
【図３】本発明の他の実施形態に係る建具用パネルの一例を模式的に示し、図１（ｂ）に対応させた一部破断概略拡大横断面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、建具用パネルを施工した状態を基準として、上下方向等の方向を説明する。
図１及び図２は、第１実施形態に係る建具用パネルの一例を模式的に示す図である。
【００１１】
本実施形態に係る建具用パネル１は、図２に示すように、複数の縦框部１０，１０間に鏡板部２を設けた構成とされている。この建具用パネル１は、上下（縦方向）に長尺の略矩形板状とされている。この建具用パネル１は、引戸や開き戸を構成するものとしてもよく、折戸の各戸板を構成するものとしてもよい。
また、本実施形態では、建具用パネル１を、パネル幅方向（左右方向）両側端部に設けられた左右の縦框部１０，１０と上下端部に設けられた上下の横框部３，４とを備えた四方框組状パネルとしている。また、本実施形態では、それぞれに別体とされた鏡板部２、上下の横框部３，４及び左右の縦框部１０，１０を組み付けて建具用パネル１を構成した例を示している。
【００１２】
鏡板部２は、上下に長尺な矩形状とされている。
本実施形態では、この鏡板部２を、図１（ａ）に示すように、両縦框部１０，１０の厚さよりも薄くかつ全体に亘って一様な厚さとしている。また、本実施形態では、この鏡板部２を、当該建具用パネル１の厚さ方向中央（各框部３，４，１０，１０の厚さ方向中央）に位置するように設けている。
なお、鏡板部２は、木質系材料や合成樹脂系材料等から形成されたものとしてもよく、表面に突板や樹脂フィルム等の表面化粧シートが貼着されたり、塗装が施されたりして表面化粧処理が施されたものとしてもよい。または、この鏡板部２を、アクリルやポリカーボネート等の合成樹脂系材料や、ガラス等からなる透光性を有した採光部を構成する採光パネルとしてもよい。
【００１３】
上下の横框部３，４は、鏡板部２を挟むように上下に離間して設けられている。
これら上下の横框部３，４のパネル幅方向（左右方向）に沿う寸法（左右寸法）は、鏡板部２の左右寸法と概ね同寸法とされている。
また、図例では、これら上下の横框部３，４の厚さ寸法を、左右の縦框部１０，１０の厚さ寸法よりも僅かに小さくした例を示しているが（図１参照）、縦框部１０，１０の厚さ寸法と同寸法としてもよい。また、図例では、上側の横框部３の上下方向に沿う寸法（上下寸法）を、下側の横框部４の上下寸法よりも大きくした例を示しているが、このような態様に限られない。例えば、これら上下の横框部３，４の上下寸法を互いに同寸法としてもよく、または上側の横框部３の上下寸法を、下側の横框部４の上下寸法よりも小さくしてもよい。
【００１４】
左右の縦框部１０，１０は、鏡板部２及び上下の横框部３，４を挟むように左右に離間して設けられている。これら左右の縦框部１０，１０は、左右寸法が鏡板部２の左右寸法よりも小さく形成されており、上下に長い細長状（帯板状）とされている。また、本実施形態では、これら左右の縦框部１０，１０の左右寸法を同寸法とした例を示している。また、図例では、これら左右の縦框部１０，１０の左右寸法を、上下の横框部３，４の上下寸法よりも小さい寸法とした例を示している。これら左右の縦框部１０，１０は、互いに同寸同形状とされた同一部材としてもよい。
これら縦框部１０，１０の左右寸法及び上下の横框部３，４の上下寸法は、建具用パネル１を厚さ方向に見て鏡板部２が概ね中央に位置し、面域方向において鏡板部２が建具用パネル１の大半（例えば、概ね１／２以上）を占めるような寸法としてもよい。
【００１５】
また、これら左右の縦框部１０，１０には、図１に示すように、幅方向鏡板部側端面となる互いに対向する内側面１１，１１において開口し、鏡板部２の左右端部をそれぞれに受け入れる受入溝１２，１２が設けられている。これら受入溝１２，１２は、各縦框部１０，１０の厚さ方向中央に設けられている。なお、これら受入溝１２，１２は、各縦框部１０，１０の全長に亘って設けるようにしてもよく、または、鏡板部２に応じた位置に設けるようにしてもよい。また、上下の横框部３，４にも、互いに対向する端面において開口し、鏡板部２の上下端部をそれぞれに受け入れる受入溝を設けるようにしてもよい。また、これら上下の横框部３，４及び左右の縦框部１０，１０と鏡板部２とは、ねじや釘等の止具、接着剤等によって接合するようにしてもよい。
【００１６】
また、これら左右の縦框部１０，１０の幅方向鏡板部側部位及び上下の横框部３，４の上下方向鏡板部側部位の厚さ方向両側縁部を、適宜、Ｃ面取り形状やＲ面取り形状等の面取り形状としてもよい。また、左右の縦框部１０，１０の幅方向反鏡板部側部位の厚さ方向両側縁部も同様、面取り形状としてもよい。
また、これら左右の縦框部１０，１０と上下の横框部３，４とは、ダボ接合等によって接合するようにしてもよい。このようなダボ接合に代えて、または加えて、上記同様、止具や接着剤等によって左右の縦框部１０，１０と上下の横框部３，４とを接合するようにしてもよい。また、上下の横框部３，４の左右方向両端部を受け入れる凹部を左右の縦框部１０，１０の各内側面１１，１１の上下端部に設けるようにしてもよい。
【００１７】
なお、これら左右の縦框部１０，１０及び上下の横框部３，４は、鏡板部２と同様、木質系材料や合成樹脂系材料等から形成されたものとしてもよく、これらからなる基材の表面に、上記同様、表面化粧処理が施されたものとしてもよい。また、これら左右の縦框部１０，１０及び上下の横框部３，４は、複数の桟状部材によって芯組みされた芯材の表面に、表面材を貼着したいわゆるフラッシュ構造とされたものとしてもよい。この場合は、左右の縦框部１０，１０及び上下の横框部３，４のそれぞれの芯材部の一部または全体が一体的に芯組みされたものとし、その表面に表面材を貼着して形成されたものとしてもよい。
【００１８】
また、建具用パネル１は、複数の縦框部１０，１０のうちの少なくとも一つの縦框部１０の幅方向鏡板部側部位の少なくとも厚さ方向一方側に、当該縦框部１０の厚み内に位置するように幅方向に向けて開口する凹溝１５を設けた構成とされている。また、建具用パネル１は、この凹溝１５に手掛可能な構成とされている。これにより、見栄えを向上させながらも操作性を向上させることができる。
つまり、手掛部が建具用パネル１の厚さ方向に突出するようなことがないので、手掛部となる凹溝１５を目立ち難く、邪魔になり難くすることができる。また、手掛部となる凹溝１５を、パネル幅方向に向けて開口させているので、手指を引っ掛け易くすることができ、開閉時における操作性を向上させることができる。つまりは、当該建具用パネル１を、例えば、引戸に適用した場合には、凹溝１５に手先を挿入してパネル幅方向にスライドさせることができ、従来のようなパネル厚さ方向に開口させた手がかり溝等に比べて、手掛操作性を向上させることができる。また、従来のようなパネル厚さ方向に開口させた手がかり溝等では、特に折戸や開き戸には適用し難いことが考えられるが、本実施形態に係る建具用パネル１は、このような種々の建具としても適用可能である。
【００１９】
この凹溝１５は、当該建具用パネル１が適用される建具の種類や納め態様等に応じて適宜の部位に設けるようにしてもよい。本実施形態では、図１（ａ）に示すように、幅方向両側端部に設けられた両縦框部１０，１０の厚さ方向両側に凹溝１５，１５，１５，１５をそれぞれに設けている。つまり、当該建具用パネル１の左右両側端部の厚さ方向両側の計４箇所に手掛部となる凹溝１５，１５，１５，１５を設けている。このような構成とすれば、これら４箇所の凹溝１５，１５，１５，１５のうちのいずれかに手指を引っ掛けて開閉操作を行うことができる。これにより、特に建具用パネル１を、住居等の建物の出入口を開閉する引戸を構成するものとした場合には、当該建具用パネル１の厚さ方向両側において、パネル幅方向両側へのスライド操作が行え、引戸として好適なものとなる。
【００２０】
また、本実施形態では、凹溝１５を、鏡板部２の上下方向の全体に亘って位置するように設けている。つまり、上下方向に延びるように設けられた凹溝１５の溝長さ寸法（上下寸法）を、鏡板部２の上下寸法に応じた寸法としている。このような構成とすれば、建具用パネル１の高さ方向の大部分に手掛部となる凹溝１５が設けられることとなり、操作者の身長の高低に関わらず、操作性を向上させることができる。本実施形態では、上記のように４箇所に設けられた全ての凹溝１５，１５，１５，１５を、鏡板部２の上下方向の全体に亘って位置するように設けている。
【００２１】
また、本実施形態では、鏡板部２を、凹溝１５の開口先側に鏡板部２が位置しないように、縦框部１０の厚さよりも薄くかつ全体に亘って一様な厚さとし、これにより、凹溝１５に手掛可能な構造としている。つまり、建具用パネル１は、パネル幅方向に向けて開口した凹溝１５の開口先側がパネル幅方向に大きく開放された構造とされ、その鏡板部２の手前側空間を介して凹溝１５への手掛が可能な構造とされている。このような構成とすれば、例えば、縦框部１０と鏡板部２とを略同厚さとし、凹溝１５へ手掛可能なようにこれらの境界部に凹みや溝部を設けた構造としたものと比べて、見栄えを向上させることができる。つまりは、当該建具用パネル１を厚さ方向に見た状態では、表面側に凹溝１５への手掛けを可能とするための凹みや溝部等が露見するようなことがない。これにより、図２に示すように、パネル幅方向に開口した形状とされた凹溝１５自体が目立ち難いことも相俟って、すっきりとした印象を与えることができ、言わば手掛部のない框組状パネルのような外観を呈することができる。
【００２２】
また、本実施形態では、左右の縦框部１０，１０の厚さ方向一方側に設けられたパネル幅方向に対向する凹溝１５，１５同士を、パネル厚さ方向において一致する位置となるように設けている。また、左右の縦框部１０，１０の厚さ方向他方側に設けられたパネル幅方向に対向する凹溝１５，１５同士を、パネル厚さ方向において一致する位置となるように設けている。
上記した鏡板部２や縦框部１０の厚さ寸法、凹溝１５の形状や寸法、凹溝１５を設ける位置等は、凹溝１５への手掛性等の観点から適宜、設定するようにしてもよい。本実施形態のように、縦框部１０の厚さ方向両側に凹溝１５，１５をそれぞれに設けた場合には、縦框部１０，１０の厚さ寸法を、一般的な建具厚（例えば、２５ｍｍ〜４０ｍｍ程度）とし、鏡板部２の厚さ寸法を、２．５ｍｍ〜１０ｍｍ程度としてもよい。
また、本実施形態のように、凹溝１５を矩形溝形状とした場合には、凹溝１５のパネル厚さ方向に沿う寸法（溝幅寸法）及びパネル幅方向に沿う寸法（溝深さ寸法）を、それぞれ７ｍｍ〜１５ｍｍ程度としてもよい。また、凹溝１５のパネル厚さ方向（溝幅方向）反鏡板部側の溝縁から当該凹溝１５が設けられた側の縦框部１０の表面までのパネル厚さ方向に沿う寸法を、２ｍｍ〜６ｍｍ程度としてもよい。
【００２３】
また、本実施形態では、凹溝１５を、縦框部１０の幅方向鏡板部側部位を掘り込むように設けている。このような構成とすれば、例えば、別部材を縦框部１０の幅方向鏡板部側端面となる内側面１１に固定して凹溝を構成するようなものと比べて、すっきりとした印象を与えることができる。また、本実施形態では、上記のように４箇所に設けられた全ての凹溝１５，１５，１５，１５を、それぞれが設けられた側の縦框部１０，１０の幅方向鏡板部側部位を掘り込むように設けた構成としている。これら各凹溝１５，１５，１５，１５は、互いに略同様の構成とされている。
【００２４】
また、本実施形態では、図１（ｂ）に示すように、縦框部１０の幅方向鏡板部側部位に内側面１１において開口する掘込状溝１３を設け、この掘込状溝１３に嵌め込まれた溝カバー１４によって凹溝１５を構成している。このような構成とすれば、例えば、木質系材料等から形成された縦框部１０に、切削加工等によって掘込状溝１３を形成した場合にもこの掘込状溝１３の切削面を見栄え良く納めることができる。
掘込状溝１３は、凹溝１５に対応させて矩形溝形状とされている。この掘込状溝１３は、縦框部１０の全長に亘って設けるようにしてもよく、または、鏡板部２に応じた位置に設けるようにしてもよい。
【００２５】
溝カバー１４は、掘込状溝１３の溝底面に当接され、凹溝１５の溝底面を構成する底片部と該底片部のパネル厚さ方向両側から溝開口側に向けて突出し、掘込状溝１３の両溝側面にそれぞれ当接され、凹溝１５の両溝側面を構成する両側片部とを備えている。この溝カバー１４の各片部は、薄板状（薄シート状）に形成されている。また、図例では、溝カバー１４の両側片部の各先端部に、溝幅方向外方に向けて突出する鍔状部を設けた例を示している。なお、この溝カバー１４は、合成樹脂系材料や金属系材料等から形成されたものとしてもよい。また、この溝カバー１４は、上記同様の止具や接着剤等によって縦框部１０の掘込状溝１３に固定するようにしてもよい。さらには、このような溝カバー１４を設けない態様としてもよい。この場合は、掘込状溝１３を凹溝１５として把握し、溝底面及び両溝側面に表面化粧処理を施すようにしてもよい。
【００２６】
次に、本発明の他の実施形態（第２実施形態）に係る建具用パネルの一例について図３を参照して説明する。
なお、第１実施形態との相違点について主に説明し、同様の構成については、同一符号を付し、その説明を省略または簡略に説明する。
本実施形態に係る建具用パネル１Ａは、手掛部を構成する凹溝１７が上記第１実施形態とは主に異なる。
【００２７】
本実施形態では、凹溝１７を、縦框部１０Ａの幅方向鏡板部側端面としての内側面１１Ａに固定された額縁状部材１６に設けている。つまり、本実施形態では、縦框部１０Ａに掘込状溝を設けずに、内側面１１Ａに凹溝１７を構成する額縁状部材１６を付設状に設けた構成としている。このような構成とすれば、上記第１実施形態のように縦框部１０の幅方向鏡板部側部位を掘り込むように凹溝１５を設けたようなものと比べて、縦框部１０Ａの加工性を向上させることができる。
【００２８】
この額縁状部材１６は、凹溝１７を形成するようにパネル幅方向に向けて開口する横断面略コ字状（略Ｕ字状または略Ｃ字状）とされている。また、本実施形態では、この額縁状部材１６のパネル厚さ方向に沿う寸法を、この額縁状部材１６が設けられた側の縦框部１０Ａの厚さ方向一方面からパネル厚さ方向に突出しないような寸法としている。図例では、この額縁状部材１６のパネル厚さ方向に沿う寸法を、この額縁状部材１６が設けられた側の横框部３，４（図３では上側の横框部３の図示を省略している）の厚さ方向一方面からもパネル厚さ方向に突出しないような寸法としている。なお、このような態様に代えて、額縁状部材１６のパネル厚さ方向一方側縁部に、縦框部１０Ａの幅方向鏡板部側部位の縁部を覆う突片部等を設けるようにしてもよい。
また、この額縁状部材１６は、凹溝１７が上記第１実施形態に係る凹溝１５と概ね同様な形状、大きさ、位置となるように適宜、形成するようにしてもよい。
【００２９】
また、本実施形態では、この額縁状部材１６のパネル厚さ方向一方側面を、鏡板部２の厚さ方向一方面に当接させて縦框部１０Ａに固定している。この額縁状部材１６は、上記同様の木質系材料や合成樹脂系材料、金属系材料等から形成されたものとしてもよい。また、この額縁状部材１６は、上記同様の止具や接着剤等によって縦框部１０Ａの内側面１１Ａに固定するようにしてもよい。
また、本実施形態においても、鏡板部２の上下方向の全体に亘って凹溝１７が位置するように額縁状部材１６を設けている。また、本実施形態においても、鏡板部２を、凹溝１７の開口先側に鏡板部２が位置しないように、縦框部１０Ａの厚さよりも薄くかつ全体に亘って一様な厚さとし、凹溝１７に手掛可能な構造としている。
【００３０】
また、本実施形態においても、図３では一方の縦框部１０Ａの図示を省略しているが、両側の縦框部１０Ａ，１０Ａの厚さ方向両側に凹溝１７，１７，１７，１７が形成されるように額縁状部材１６，１６，１６，１６を設けている。つまり、本実施形態では、建具用パネル１Ａは、鏡板部２のパネル幅方向両側端部を、厚さ方向両側から挟むように額縁状部材１６，１６，１６，１６を設けた構造とされている。このような構成とすれば、鏡板部２を縦框部１０Ａ，１０Ａとは別体とした場合には、これら額縁状部材１６，１６，１６，１６によって鏡板部２を挟みこむように保持させることもできる。これにより、鏡板部２と縦框部１０Ａ，１０Ａとの接合部を覆うことができ、また、別体とされた鏡板部２のがたつき等を効果的に抑制することができる。また、この場合には、縦框部１０Ａ，１０Ａの各内側面１１Ａ，１１Ａに鏡板部２を受け入れる受入溝１２，１２を設けないようにしてもよい。また、この場合には、横框部３，４にも同様の額縁状部材１６または凹溝１７のない額縁状部材を固定するようにしてもよい。
【００３１】
なお、上記各実施形態では、左右の縦框部１０，１０（１０Ａ，１０Ａ）と上下の横框部３，４とを備えた建具用パネル１（１Ａ）を例示しているが、上下の横框部３，４の間に、さらに一つまたは複数の中間横框部（横桟部）を備えたものとしてもよい。この場合は、上下に分割された各鏡板部のそれぞれの上下方向の全体に亘って位置するように凹溝１５（１７）を設けるようにしてもよい。または、建具用パネル１（１Ａ）を、横框部３，４を備えていない二方框組状パネルとしてもよい。つまり、両側の縦框部１０，１０（１０Ａ，１０Ａ）間に鏡板部２を設けた建具用パネル１（１Ａ）としてもよい。この場合は、両側の縦框部１０，１０（１０Ａ，１０Ａ）の上下端部同士を接続する補強板や補強桟、補強ワイヤー等を適宜、設けるようにしてもよい。
また、左右の縦框部１０，１０（１０Ａ，１０Ａ）の間に、さらに一つまたは複数の中間縦框部（縦桟部）を備えた建具用パネル１（１Ａ）としてもよい。この場合は、中間縦框部（縦桟部）の幅方向鏡板部側部位の少なくとも厚さ方向一方側にも上記同様の凹溝１５（１７）を設けるようにしてもよい。
【００３２】
また、上記各実施形態では、鏡板部２を、左右の縦框部１０，１０（１０Ａ，１０Ａ）及び上下の横框部３，４と別体とした例を示しているが、このような態様に限られない。例えば、左右の縦框部１０，１０（１０Ａ，１０Ａ）及び上下の横框部３，４の一部または全体と鏡板部２の一部または全体とが一体的に形成されたものとしてもよい。
また、上記各実施形態では、左右の縦框部１０，１０（１０Ａ，１０Ａ）の左右寸法を同寸法とした例を示しているが、互いに異なる寸法としてもよい。
また、上記各実施形態では、凹溝１５（１７）を矩形溝形状とした例を示しているが、Ｕ字溝形状やＶ字溝形状、台形溝形状、蟻溝形状等、その他の溝形状としてもよい。
【００３３】
また、上記各実施形態では、凹溝１５（１７）を、鏡板部２の上下方向の全体に亘って位置するように設けた例を示しているが、鏡板部２の上下方向の一部に位置するように設けるようにしてもよい。この場合は、幼児の腰高さ程度の高さから成人の腰高さ程度の高さまでの上下寸法とされた凹溝１５（１７）を設けるようにしてもよく、各人の身長等を考慮して上下に間隔を空けて複数箇所に凹溝１５（１７）を設けるようにしてもよい。さらには、成人のみに応じた単一の凹溝１５（１７）を設けるようにしてもよい。
また、上記各実施形態では、鏡板部２を、縦框部１０（１０Ａ）の厚さよりも薄くかつ全体に亘って一様な厚さとし、凹溝１５（１７）に手掛可能な構造とした例を示しているが、このような態様に限られない。例えば、鏡板部２と縦框部１０（１０Ａ）とを同厚さ等とし、これらの境界部に、凹溝１５（１７）への手掛けを可能とするためのパネル厚さ方向に開口し、凹溝１５（１７）に連通する凹みや溝部等を設けたような態様としてもよい。
【００３４】
また、上記各実施形態では、建具用パネル１（１Ａ）の両側の縦框部１０，１０（１０Ａ，１０Ａ）の厚さ方向両側に凹溝１５，１５，１５，１５（１７，１７，１７，１７）を設けた例を示しているが、このような態様に限られない。例えば、建具用パネル１（１Ａ）が開き戸に適用される場合には、建具用パネル１（１Ａ）の一方側（反吊元側）の縦框部１０（１０Ａ）の厚さ方向一方側に少なくとも凹溝１５（１７）を設けたような態様としてもよい。また、例えば、建具用パネル１（１Ａ）が折戸の戸板や、押入れ等の収納を開閉する引戸に適用される場合には、建具用パネル１（１Ａ）の両側の縦框部１０，１０（１０Ａ，１０Ａ）の厚さ方向一方側に少なくとも凹溝１５，１５（１７，１７）を設けるようにしてもよい。また、建具用パネル１（１Ａ）の厚さ方向他方側に凹溝１５（１７）を設けない場合には、建具用パネル１（１Ａ）の厚さ方向他方側面を、全体に亘って平坦面としてもよい。
【符号の説明】
【００３５】
１，１Ａ      建具用パネル
２            鏡板部
１０，１０Ａ  縦框部
１１Ａ        内側面（幅方向鏡板部側端面）
１５，１７    凹溝
１６          額縁状部材
【図１】
2014234696.tif 000003
【図２】
2014234696.tif 000004
【図３】
2014234696.tif 000005